(57)【要約】【課題】急速空気弁は、１つには、地震発生時の横揺れに対し、急速空気弁の取付フランジ部等の損傷を受けにくいように急速空気弁部の軽量化が求められている。そして２つには、急速空気弁内部の水は滞留して残留塩素は消滅し不衛生な水になっており、この不衛生な水を少しでも少なくすることが求められている。また、３つには、急速空気弁を取り付けた水道管からの急激な水の噴き出しにより、遊動弁体がこじられた状態になって固着し、大空気孔からの水の噴き出しが止まらない事態を発生することがあるという問題があった。【解決手段】急速空気弁の充水完了時に急速空気弁内部の空気をすべて排気するのではなく、逆に空気溜まりをつくり、急速空気弁内部の水位を低くすることにより急速空気弁部の総体重量を軽くし、また滞留し不衛生となっている水の量も少なくできる。また遊動弁体外周縁部を上下に長くしたことによって遊動弁体がスムーズに動き問題が解決できる。【選択図】図１
2007321794.tif 000002
【特許請求の範囲】
【請求項１】
遊動弁体外周縁部の上下方向の長さを、遊動弁体上下方向可動長さの半分程度以上に長くするなどして、急速空気弁の充水が完了した時点においても、遊動弁体外周縁部下端より上部の、遊動弁体と急速空気弁弁箱の間に空気溜まりができるように施し、急速空気弁内の水位を低位に保つことを特徴とする急速空気弁。
【発明の詳細な説明】
【技術分野】
【０００１】
本発明は、水道に用いる急速空気弁に関するものである。
【背景技術】
【０００２】
従来の急速空気弁は、充水完了時には急速空気弁内部の空気を完全に排出するように施してある。（非特許文献１参照）
【０００３】
以下、図４のように水道管に取り付けられた従来の急速空気弁について説明する。図５において、遊動弁体６は急速空気弁内に水位がない状態で下に下がっており、急速空気弁を取り付けた水道管より急速空気弁に大量の空気が上がってくると大空気孔９より急速に排気する。
【０００４】
次に急速空気弁を取り付けた水道管より急速空気弁に水が上がってきて水位が上昇すると、図６のように遊動弁体６が浮上して大空気孔弁座７に密着し急速排気は停止する。
【０００５】
その後残った空気は小空気孔１０より排気され、図７のように水位が上昇してフロート弁体４が小空気孔弁座８に密着するまで継続する。これらの動きにより急速空気弁の充水完了時、急速空気弁内部の空気はほとんど排出された状態となる。
【０００６】
【非特許文献１】「水道用バルブハンドブック１９８７年」、日本水道協会発行、１９８７年、ｐ４８〜ｐ４９
【発明の開示】
【発明が解決しようとする課題】
【０００７】
以上に述べた従来の急速空気弁は、通常空気弁内部が水で満たされた状態になっているが、次のような課題がある。
【０００８】
１つには、図４のように水道管より立ち上がった所に急速空気弁が取り付けられるが、地震発生時の横揺れに対し、急速空気弁部の総体重量は少しでも軽い方が急速空気弁の取付フランジ部等の損傷を受けにくい。そのため、急速空気弁部の軽量化が求められている。
【０００９】
そして２つには、急速空気弁内部の水は滞留し、上水道の場合、水の中の残留塩素は消滅し、不衛生な水になっている。この水が急速空気弁が取り付けられている水道管の負圧発生時に水道管へ吸い込まれ、水道使用者へ流れることになる。この不衛生な水を少しでも少なくすることが求められている。
【００１０】
また、従来の急速空気弁では水道管からの急激な水の噴き出しにより、図８のように遊動弁体がフロート弁体案内に対し斜めに傾き、こじられた状態になって固着し、遊動弁体が大空気孔弁座に当たらず、大空気孔からの水の噴き出しが止まらない事態を発生することがある。
【００１１】
本発明は、このような従来の急速空気弁が有していた問題を解決しようとするものであり、急速空気弁部総体重量を軽くし、不衛生な滞留水を少なくすることなどを目的とするものである。  
【課題を解決するための手段】
【００１２】
そして、本発明は上記目的を達成するために遊動弁体外周縁部の上下方向の長さを遊動弁体上下方向可動長さの半分程度以上に長くするなどし、急速空気弁内部に空気溜りができるようにしたものである。
【００１３】
また、第２の課題解決手段は、遊動弁体底部は内側に窪んだ形状としたものである。
【００１４】
そして、第３の課題解決手段は、フロート弁体案内底部の穴は最下端から少しずらし、水道管から入ってくる空気を遊動弁体外側へ誘導するようにしたものである。
【００１５】
上記第１の課題解決手段による作用は次の通りである。遊動弁体外周縁部を上下に長くすることにより遊動弁体に対する浮力が早く働き、大空気孔を早く閉じ、また大空気孔が閉じたあとは、遊動弁体と急速空気弁弁箱の間で遊動弁体外周縁下端部より上の空気は抜ける所がなく多量の空気溜まりをつくることができ急速空気弁内の水位を低くすることができる。
【００１６】
上記第２の課題解決手段による作用は、フロート弁体の可動スペースを確保しながら、遊動弁体外側の空気溜まりを最大にすることができ急速空気弁内の水位を低くすることができる。
【００１７】
上記第３の課題解決手段による作用は、遊動弁体外側の空気溜まりを常に最大にすることができ、急速空気弁内の水位を低くすることができる。
【発明の効果】
【００１８】
上述したように急速空気弁内に空気溜まりをつくることにより、急速空気弁内部の水位を低くし急速空気弁部の総体重量を軽減することが出来、地震発生時の横揺れに対する取付フランジ部等の損傷を軽減することができる。
【００１９】
また、急速空気弁を取り付ける水道管側の負圧発生時における急速空気弁内部の滞留水の水道管への吸い込み水量を少なくするすることができ、水道の衛生向上に寄与できる。
【００２０】
そして、水道管内の圧力の変動により、急速空気弁内の空気が圧縮されたり膨張したりすることにより水位が上下し、急速空気弁内滞留水のある程度の入れ替えも期待できる。
【００２１】
そしてまた、遊動弁体外周縁部の上下方向の長さを長くしたことにより、遊動弁体のフロート弁体案内との可動な傾きが小さくなり、水道管からの急激な水の噴き出しにより遊動弁体が斜めにこじられた状態となって固着してしまうようなことは発生しない。
【００２２】
なお、既に多くの設置されている急速空気弁においても内部部品を取り替えることにより本方式の急速空気弁に改造することが容易であり、比較的費用をあまりかけないで社会資本の性能向上を図ることができる。  
【発明を実施するための最良の形態】
【００２３】
以下、本発明の実施の形態を図１に基づいて説明する。
【００２４】
図１において、遊動弁体６は急速空気弁内に水位が無い状態で下に下がっており、急速空気弁を取り付けた水道管より空気が急速空気弁に上がってくると、大空気孔９から大量の空気を排出する。
【００２５】
次に、急速空気弁内に水位が上昇してくると遊動弁体６の浮力により、遊動弁体６が大空気孔弁座７に当たるまで上昇し、それ以上大空気孔からは空気を排出しなくなる。
【００２６】
そして、遊動弁体外周縁部の下端より下に水位が下がると、図２のようにフロート弁体だけが下へ下がり、小空気孔１０より空気を排出する。
【００２７】
小空気孔１０より空気の排出が終わった段階でも図３のように遊動弁体と急速空気弁弁箱の間で遊動弁体外周縁下端部より上に空気溜まりが出来、急速空気弁内部の水位が低い状態を保つ。
【産業上の利用可能性】
【００２８】
急速空気弁製造コストの増加はそれほど多くはなく、ある程度の効果が得られるため利用可能である。しかも上述したように、既に取り付けられている急速空気弁を本低水位急速空気弁に改造するのは内部部品を取り替えるだけで済むため十分利用可能である。
【図面の簡単な説明】
【００２９】
【図１】低水位急速空気弁内の大排気孔が開いている状態
【図２】低水位急速空気弁の大排気孔が閉じ小空気孔が開いている状態
【図３】低水位急速空気弁の排気が完了した状態
【図４】水道管に取り付けられた急速空気弁
【図５】従来の急速空気弁内の大排気孔が開いている状態
【図６】従来の急速空気弁の大排気孔が閉じ小空気孔が開いている状態
【図７】従来の急速空気弁の排気が完了した状態
【図８】従来の急速空気弁の遊動弁体が固着した状態
【符号の説明】
【００３０】
１    弁箱
２    ふた
３    カバー
４    フロート弁体
５    フロート弁体案内
６    遊動弁体
７    大空気孔弁座  
８    小空気孔弁座
９    大空気孔
１０  小空気孔
【図１】
2007321794.tif 000003
【図２】
2007321794.tif 000004
【図３】
2007321794.tif 000005
【図４】
2007321794.tif 000006
【図５】
2007321794.tif 000007
【図６】
2007321794.tif 000008
【図７】
2007321794.tif 000009
【図８】
2007321794.tif 000010